(57)【要約】      （修正有）【課題】ネットワークアクセスシステムを選択するための改良されたシステムを提供する。【解決手段】（１）ＵＥにセル選択規則を提供する構成要素（例えばＡＮＤＳＦ）と、（２）ＵＥによって現在利用されているセルの負荷に関する情報をＵＥに提供する構成要素（例えばアクセスノード）とを含む。これにより、ＵＥは、セルの負荷に関する知識に関連付けてセル選択規則を適用することによって、現在のセル（３ＧＰＰセルであることがある）から出て別のセル（３ＧＰＰセルでないことがある）を使用するかどうか判断できるようになる。【選択図】図１
2014039294.tif 000002
【特許請求の範囲】
【請求項１】
ユーザ機器（ＵＥ）負荷分散方法であって、ＵＥ（１０２ａ）によって行われ、
前記ＵＥで、セル選択規則を含むメッセージを受信するステップ（２０２）と、
前記ＵＥで、アクセスノード（１０４ａ）から送信されたセル選好インジケータ（ＣＰＩ）値を受信するステップであって、前記ＣＰＩ値が第１のセル（１０５ａ）に関連付けられているステップ（２０４）と、
前記第１のセル（１０５ａ）を利用するか、それとも第２のセル（１０５ｂ）を利用するか判断するために、前記ＣＰＩ値に関連付けて前記セル選択規則を使用するステップと
を含む方法。
【請求項２】
前記ＣＰＩ値が、前記第１のセルが負荷の有る状態とみなされるか、それとも負荷の無い状態とみなされるかを示す２値負荷インジケータ値である請求項１に記載の方法。
【請求項３】
前記ＣＰＩ値が、３つ以上のセル負荷レベルの１つを示す負荷インジケータ値である請求項１に記載の方法。
【請求項４】
前記ＣＰＩ値が、前記第１のセルがアクセスに適しているかどうか、または適切さの度合いを示す請求項１に記載の方法。
【請求項５】
前記第２のセルを利用するかどうか判断するために前記ＣＰＩ値に関連付けて前記セル選択規則を使用する前記ステップが、乱数または擬似乱数を発生し、発生した数を前記ＣＰＩ値の関数である値と比較するステップを含む請求項１乃至４のいずれか一項に記載の方法。
【請求項６】
前記セル選択規則が条件を指定し、
前記第２のセルを利用するかどうか判断するために前記ＣＰＩ値に関連付けて前記セル選択規則を使用する前記ステップが、前記条件が真であるかどうか判断するために前記ＣＰＩ値を使用するステップを含む
請求項１乃至５のいずれか一項に記載の方法。
【請求項７】
前記アクセスノードが３ＧＰＰアクセスノードであり、
前記第２のセルが、３ＧＰＰアクセスノードでない第２のアクセスノードによってサービスされる
請求項１乃至６のいずれか一項に記載の方法。
【請求項８】
前記ＣＰＩ値を受信する前記ステップが、ブロードキャストチャネル（ＢＣＨ）またはダウンリンク共有チャネル（ＤＬ−ＳＣＨ）で前記アクセスノードからブロードキャストされるか、または前記アクセスノードからユニキャストされるメッセージを受信するステップを含み、前記メッセージが前記ＣＰＩ値を含む請求項１乃至７のいずれか一項に記載の方法。
【請求項９】
さらに、
タイマを設定するステップ（２０８）と、
前記タイマが切れたのに応答して、前記第２のセルを利用するかどうか判断するためにデフォルトＣＰＩ値に関連付けてセル選択規則を使用するステップと
を含む請求項１乃至８のいずれか一項に記載の方法。
【請求項１０】
さらに、
前記セル選択規則およびＣＰＩ値に基づいて、前記第１のセルを利用するという判断が下された場合に、タイマを設定するステップ（２１０）と、
前記タイマが切れたのに応答して、前記ＣＰＩ値、または前記アクセスノードから受信された新たなＣＰＩ値に関連付けて前記セル選択規則を使用して、前記第１のセルを利用し続けるかどうか判断するステップと
を含む請求項１乃至９のいずれか一項に記載の方法。
【請求項１１】
通信ネットワーク（１００）において負荷分散するための方法であって、
セル選択規則を含むメッセージを送信するステップであって、前記メッセージがユーザ機器（ＵＥ）によって受信されるステップ（１０２ａ）と、
セル選好インジケータ（ＣＰＩ）値を含むメッセージを生成するステップであって、前記ＣＰＩ値が第１のセルと関連付けられているステップ（３０４）と、
アクセスノード（１０４ａ）から前記メッセージを送信するステップであって、前記メッセージが前記ＵＥによって受信されるステップとを含み、
前記ＵＥが、前記第１のセルを利用するか、それとも第２のセルを利用するか判断するために、前記受信されたＣＰＩ値に関連付けて前記受信されたセル選択規則を使用するように構成された方法。
【請求項１２】
前記ＣＰＩ値が、前記第１のセルが負荷の有る状態とみなされるか、それとも負荷の無い状態とみなされるかを示す２値負荷インジケータ値である請求項１１に記載の方法。
【請求項１３】
前記ＣＰＩ値が、３つ以上のセル負荷レベルの１つを示す負荷インジケータ値である請求項１１に記載の方法。
【請求項１４】
前記ＣＰＩ値が、前記第１のセルがアクセスに適しているかどうか、または適切さの度合いを示す請求項１１に記載の方法。
【請求項１５】
前記セル選択規則が条件および１組のセルタイプを指定し、前記ＵＥが、前記第１のセルを利用するか、それとも前記第２のセルを利用するか判断するために、前記受信されたＣＰＩ値に関連付けて前記指定された条件を評価するように構成された請求項１１乃至１４のいずれか一項に記載の方法。
【請求項１６】
前記ＣＰＩ値を含む前記メッセージを送信する前記ステップが、ブロードキャストチャネル（ＢＣＨ）またはダウンリンク共有チャネル（ＤＬ−ＳＣＨ）で前記メッセージを送信するステップを含む請求項１１乃至１５のいずれか一項に記載の方法。
【請求項１７】
前記ＣＰＩ値を含む前記メッセージを送信する前記ステップが、前記メッセージを前記ＵＥにユニキャストするステップを含む請求項１１のいずれか一項に記載の方法。
【請求項１８】
さらに、
前記ＣＰＩ値を前記ＵＥにユニキャストする前に、前記ＵＥが主に所要容量の小さいトラフィックを送信および／または受信しているかどうか判断するステップと、
前記ＵＥが主に所要容量の小さいトラフィックを送信および／または受信していると判断された場合かつその場合に限りにのみ、前記ＣＰＩ値を前記ＵＥにユニキャストするステップと
を含む請求項１７に記載の方法。
【請求項１９】
さらに、
前記第１のセルでの負荷を求めるステップと、
前記求められた負荷に基づいてＵＥの目標数を決定するステップと、
前記目標数以下のＵＥを選択するステップと、
前記選択されたＵＥそれぞれにＣＰＩ値を送信するステップと
を含む請求項１１乃至１８のいずれか一項に記載の方法。
【請求項２０】
さらに、
前記第１のセルでの負荷を求めるステップ（４０２）と、
前記求められた負荷に基づいてＵＥの目標数を決定するステップ（４０４）と、
前記目標数以上のＵＥを選択するステップと、
前記選択されたＵＥそれぞれにＣＰＩ値を送信するステップと
を含む請求項１１乃至１９のいずれか一項に記載の方法。
【請求項２１】
前記第１のセルが３ＧＰＰセルであり、
前記第２のセルが３ＧＰＰセルでない
請求項１１に記載の方法。
【請求項２２】
送受信回路（６０４）と、データ処理システム（６０２）とを備えるユーザ機器（ＵＥ）（１０２）であって、
前記送受信回路（６０４）が、
（ａ）セル選択規則を受信し、かつ
（ｂ）アクセスノード（１０４）から送信されるセル選好インジケータ（ＣＰＩ）値を受信するように構成され、前記ＣＰＩ値が第１のセル（１０５ａ）に関連付けられており、
前記データ処理システム（６０２）が、前記第１のセルを利用するか、それとも第２のセルを利用するか判断するために、前記受信されたＣＰＩ値と関連付けて前記セル選択規則を使用するように構成されたユーザ機器（ＵＥ）（１０２）。
【請求項２３】
前記ＣＰＩ値が、前記第１のセルが負荷の有る状態とみなされるか、それとも負荷の無い状態とみなされるかを示す２値負荷インジケータ値である請求項２２に記載のＵＥ。
【請求項２４】
前記データ処理システムが、乱数または擬似乱数を発生し、前記発生した数を前記ＣＰＩ値の関数である値と比較することによって、前記第２のセルを利用するかどうか判断するために前記ＣＰＩ値に関連付けて前記セル選択規則を使用するように構成された請求項２２または２３に記載のＵＥ。
【請求項２５】
前記セル選択規則が条件を指定し、
前記データ処理システムが、前記条件が真であるかどうか判断するために前記ＣＰＩ値を使用することによって、前記第２のセルを利用するかどうか判断するために前記ＣＰＩ値に関連付けて前記セル選択規則を使用するように構成された
請求項２２乃至２４のいずれか一項に記載のＵＥ。
【請求項２６】
前記アクセスノードが３ＧＰＰアクセスノードであり、
前記第２のセルが、３ＧＰＰアクセスノードでない第２のアクセスノードによってサービスされる
請求項２２乃至２５のいずれか一項に記載のＵＥ。
【請求項２７】
前記データ処理システムが、さらに、タイマを設定し、前記タイマが切れたのに応答して、前記第２のセルを利用するかどうか判断するために、デフォルトＣＰＩ値に関連付けてセル選択規則を使用するように構成された請求項２２乃至２６のいずれか一項に記載のＵＥ。
【請求項２８】
前記データ処理システムが、さらに、
前記セル選択規則およびＣＰＩ値に基づいて、前記第１のセルを利用するという判断が行われた場合に、タイマを設定し、
前記タイマが切れたのに応答して、前記ＣＰＩ値、または前記第１のアクセスノードから受信された新規のＣＰＩ値に関連付けて前記セル選択規則を使用して、前記第１のセルを利用し続けるかどうか判断する
ように構成された請求項２２乃至２７のいずれか一項に記載のＵＥ。
【請求項２９】
データを送受信するように動作可能な送受信回路（５０４）と、
データ処理システム（５０２）と
を備えるアクセスノード（１０４）であって、前記データ処理システム（５０２）が、
前記アクセスノードによってサービスされるセルの負荷を求め、
前記求められたセル負荷に基づいてセル選好インジケータ（ＣＰＩ）値を設定し、
前記ＣＰＩ値を含むメッセージを生成し、
前記アクセスノードとワイヤレス通信する１つまたは複数のユーザ機器（ＵＥ）に前記送受信回路が前記メッセージを送信する
ように構成されたアクセスノード（１０４）。
【請求項３０】
前記ＣＰＩ値が、前記セルが負荷の有る状態とみなされるか、それとも負荷の無い状態とみなされるかを示す２値負荷インジケータ値である請求項２９に記載のアクセスノード。
【請求項３１】
前記送受信回路が、ブロードキャストチャネル（ＢＣＨ）またはダウンリンク共有チャネル（ＤＬ−ＳＣＨ）で前記メッセージをブロードキャストするように構成された請求項２９または３０に記載のアクセスノード。
【請求項３２】
前記送受信回路が、選択されたＵＥ（１０２）に前記メッセージをユニキャストするように構成された請求項２９乃至３１のいずれか一項に記載のアクセスノード。
【請求項３３】
前記データ処理システムが、前記メッセージを前記送受信回路が送信する前に、前記選択されたＵＥが主に所要容量の小さいトラフィックを送信および／または受信しているかどうか判断するように構成された請求項３２に記載のアクセスノード。
【請求項３４】
前記データ処理システムが、さらに、
前記求められたセルの負荷に基づいてＵＥの目標数を決定し、
前記目標数以下のＵＥを選択し、
前記選択されたＵＥそれぞれに前記送受信回路がＣＰＩ値を送信する
ように構成された請求項２９乃至３３のいずれか一項に記載のアクセスノード。
【発明の詳細な説明】
【技術分野】
【０００１】
本発明は、通信ネットワークに関する。本発明の特定の態様は、ネットワークアクセスシステム選択に関する。
【背景技術】
【０００２】
様々な種類のネットワークアクセスシステム、特にワイヤレスネットワークアクセスシステム（例えば様々なタイプのアクセスノード、例えば基地局）がますます普及すると予想される。したがって、移動端末（例えば移動電話および他の移動端末）が、いくつかの異なるタイプの基地局と通信することができるように構成され、それにより、任意の所与の通信セッションのために使用するのに最良のタイプの基地局を選択する融通性を提供することが期待される。すなわち、移動端末（ユーザ機器（ＵＥ）として知られている）が複数のアクセスインターフェースを有することが期待されている。例えば、ロングタームエボリューション（ＬＴＥ）／システムアーキテクチャエボリューション（ＳＡＥ）ネットワーク（進化型パケットシステム（ＥＰＳ）としても知られている）では、マルチアクセスが重要な要素である。これは、しばしば、ＥＰＳ  ＵＥが、複数の使用可能なネットワークアクセスシステムの中からどれを使用するか選択しなければならない状況になる（すなわち、ＵＥがアクセス選択を行わなければならないことを意味する。）
【０００３】
これら複数のアクセスインターフェースを有する利益を活用するために、使用可能なアクセスインターフェースおよびネットワークアクセスシステムを移動端末ができるだけ効率良く使用することを保証するためのメカニズムおよび処置を提供することが望ましい。この文脈で、好ましくは、移動端末のユーザと、ネットワークアクセスシステムのオペレータとの両方の観点から考察すべきである。それに従って、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ；アクセスネットワーク発見・選択機能）と呼ばれる新規の機能エンティティが、第３世代パートナーシッププロジェクト（３ＧＰＰ）ネットワークアーキテクチャに導入されており、それに対応する機能がＵＥに導入されている（時としてｕｅＡＮＤＳＦと呼ぶ）。ＡＮＤＳＦベースのアクセス選択の原理は、ＡＮＤＳＦがＵＥに規則／命令を提供し、ＵＥが、これらの規則／ポリシーをＵＥの現在のコンテキスト状況に適用して、アクセス選択結果を導き出すというものである。すなわち、ＡＮＤＳＦは、アクセス選択を間接的に、非リアルタイムで制御する。したがって、現在のＡＮＤＳＦアクセス選択メカニズムは、例えば負荷分散機能を提供するのにはよく適していない。
【発明の概要】
【発明が解決しようとする課題】
【０００４】
望まれるのは、ネットワークアクセスシステムを選択するための改良されたシステムおよび方法である。以後、用語「アクセス選択」と「セル選択」は、等価なものとして用いる。
【課題を解決するための手段】
【０００５】
本発明のいくつかの実施形態によるシステムは、（１）ＵＥにセル選択規則を提供する構成要素（例えばＡＮＤＳＦ）と、（２）ＵＥによって現在利用されているセルの負荷に関する情報をＵＥに提供する構成要素（例えばアクセスノード）とを含む。これにより、ＵＥは、セルの負荷に関する知識に関連付けてセル選択規則を適用することによって、現在のセル（３ＰＰセル（すなわち、３ＧＰＰ無線アクセス技術、例えばＬＴＥ、ＷＣＤＭＡ、ＨＳＰＡ、モバイル通信用グローバルシステム（ＧＳＭ（登録商標））、汎用パケット無線サービス（ＧＰＲＳ）、またはＧＳＭ進化型高速データレート（ＥＤＧＥ）が使用されるセル）であることがある）から出て別のセル（３ＧＰＰセルでないことがある）を使用するかどうか判断できるようになる。本発明のこの態様の１つの利点は、ｅｘｔｒａ−３ＧＰＰ負荷分散を実現することができるとともに、ＡＮＤＳＦベースのアクセス選択のための一般的な原理が保たれることである。すなわち、ＡＮＤＳＦがセル選択規則を提供し、その一方でＵＥがその環境を監視して規則を適用する。いくつかの実施形態では、アクセスノードは、セル選好インジケータ（ＣＰＩ）値を送信することによって、負荷に関する情報をＵＥに提供することができる。送信は、ブロードキャストまたはユニキャスト送信でよい。いくつかの実施形態では、タイマが導入され、移動するという決定後であれ移動しないという決定後であれ、負荷に応じてトリガされたアクセス選択決定がＵＥで有効である期間を定める。
【０００６】
１つの特定の態様では、本発明は、ＵＥ負荷分散方法を提供する。いくつかの実施形態では、方法は、ＵＥが、セル選択規則を含むメッセージを受信することから始まる。次に、ＵＥは、アクセスノード（例えば３ＧＰＰアクセスノード）から送信されるセル選好インジケータ（ＣＰＩ）値を受信する。ＣＰＩ値は、ＵＥによって現在利用されているセルに関連付けられている。次に、ＵＥは、現在のセルを引き続き利用するか、それとも第２のセル（例えば３ＧＰＰアクセスでないノードによってサービスされるセル）に移動するか判断するために、ＣＰＩ値に関連付けてセル選択規則を使用する。いくつかの実施形態では、ＣＰＩ値は、セルが負荷の有る状態とみなされるか、それとも負荷の無い状態とみなされるかを示す２値負荷インジケータ値である。他の実施形態では、ＣＰＩ値は、３つ以上のセル負荷レベルの１つを示す負荷インジケータ値である。さらに他の実施形態では、ＣＰＩ値は、第１のセルがアクセスに適しているかどうか、または適切さの度合いを決定する。いくつかの実施形態では、第２のセルを利用するかどうか判断するためにセル選択規則を使用するステップは、乱数または擬似乱数を発生するステップと、発生した数をＣＰＩ値の関数である値と比較するステップとを含む。セル選択規則が条件を指定することができ、第２のセルを利用するかどうか判断するためにＣＰＩ値に関連付けてセル選択規則を使用するステップが、条件が真であるかどうか判断するためにＣＰＩ値を使用するステップを含む。
【０００７】
別の態様では、本発明は、通信ネットワークにおいて負荷分散するための方法を提供する。この方法は、セル選択規則を含むメッセージをＵＥに送信することから始めることができる。次に、アクセスノードによって、第１のセルに関連付けられているセル選好インジケータ（ＣＰＩ）値を含むメッセージが生成される。次いで、このメッセージがアクセスノードからＵＥに送信される。有利には、ＵＥは、第１のセルを利用するか、それとも第２のセルを利用するか判断するために、受信されたＣＰＩ値に関連付けて、受信されたセル選択規則を使用するように構成される。いくつかの実施形態では、ＣＰＩ値を含むメッセージを送信するステップが、ブロードキャストチャネル（ＢＣＨ）またはダウンリンク共有チャネル（ＤＬ−ＳＣＨ）でメッセージを送信するステップを含む。他の実施形態では、ＣＰＩ値を含むメッセージを送信するステップが、メッセージをＵＥにユニキャストするステップを含む。いくつかの実施形態では、ＣＰＩ値をＵＥにユニキャストする前に、アクセスノードは、ＵＥが主に所要容量の小さいトラフィックを送信および／または受信しているかどうか判断する。そうである場合、アクセスノードはＣＰＩ値をＵＥにユニキャストし、そうでない場合、アクセスノードはＣＰＩ値をＵＥにユニキャストしない。いくつかの実施形態では、アクセスノードは、第１のセルでの負荷を求め、求められた負荷に基づいてＵＥの目標数を決定する。次に、アクセスノードは、目標数以下のＵＥを選択し、選択されたＵＥそれぞれにＣＰＩ値を送信する。
【０００８】
別の態様では、本発明は、改良されたＵＥを提供する。改良されたＵＥは、（１）（ａ）セル選択規則を受信し、かつ（ｂ）アクセスノードから、セルに関連付けられているセル選好インジケータ（ＣＰＩ）値を受信するように動作可能な送受信回路を含む。また、改良されたＵＥは、現在のセルを利用するか、それとも別のセルを利用するか判断するために、受信されたＣＰＩ値に関連付けてセル選択規則を使用するように構成されたデータ処理システムを含む。
【０００９】
別の態様では、本発明は、改良されたアクセスノードを提供する。改良されたアクセスノードは、（１）データを送受信するように動作可能な送受信回路と、（２）データ処理システムとを含む。有利には、データ処理システムは、（ａ）アクセスノードによってサービスされるセルの負荷を求め、（ｂ）求められたセル負荷に基づいてセル選好インジケータ（ＣＰＩ）値を設定し、（ｃ）ＣＰＩ値を含むメッセージを生成し、（ｄ）アクセスノードとワイヤレス通信する１つまたは複数のＵＥに送受信回路がメッセージを送信するように構成される。
【００１０】
上述および他の態様および実施形態を、添付図面を参照して以下に説明する。
【００１１】
本明細書に組み込み、本明細書の一部を成す添付図面は、本発明の様々な実施形態を示し、本説明と共に本発明の原理をさらに説明して、当業者が本発明を作製して使用できるようにするのに役立つ。図面中、同様の参照番号は同一または機能的に同様の要素を示す。
【図面の簡単な説明】
【００１２】
【図１】本発明のいくつかの実施形態による通信システムを示す図である。
【図２】本発明のいくつかの実施形態によるプロセスを示す流れ図である。
【図３】本発明のいくつかの実施形態によるプロセスを示す流れ図である。
【図４】本発明のいくつかの実施形態によるプロセスを示す流れ図である。
【図５】本発明のいくつかの実施形態によるアクセスノードの機能ブロック図である。
【図６】本発明のいくつかの実施形態によるＵＥの機能ブロック図である。
【発明を実施するための形態】
【００１３】
以下の本発明の詳細な説明に関連する用語／概念は、「ｅｘｔｒａ−３ＧＰＰ負荷分散」である。本文献では、「ｅｘｔｒａ−３ＧＰＰ負荷分散」とは、３ＧＰＰアクセス（すなわち、３ＧＰＰによって指定されるアクセス技術、例えばＬＴＥ、ＷＣＤＭＡ、ＨＳＰＡ、ＧＳＭ、ＧＰＲＳ、および／またはＥＤＧＥを使用するアクセス。場合によっては３ＧＰＰ２によって指定されるＣＤＭＡ２０００（登録商標）も含む）のドメインと、非３ＧＰＰアクセス（すなわち、３ＧＰＰによって指定されていないアクセス技術を使用するアクセス）のドメインとの間の負荷分散を表す。したがって、ｅｘｔｒａ−３ＧＰＰ負荷分散メカニズムは、例えば、３ＧＰＰアクセス技術を使用するアクセスノードによってサービスされるセルと、非３ＧＰＰアクセス技術を使用するアクセスノードによってサービスされるセルとの間の良好な負荷分散を実現するために使用される。また、場合によっては、ｅｘｔｒａ−３ＧＰＰ負荷分散メカニズムは、非３ＧＰＰアクセス技術を使用する（１つまたは複数の）アクセスノードによってサービスされる２つのセル間の負荷を分散するために使用することもできるが、典型的には、３ＧＰＰアクセス技術を使用する（１つまたは複数の）アクセスノードによってサービスされるセル間の負荷分散には使用されない。
【００１４】
ここで図１を参照すると、図１は、本発明のいくつかの実施形態による例示的な通信システム１００を示す。図１に示されるように、通信システム１００は、複数のアクセスノード１０４（例えばアクセスノード１０４ａおよびアクセスノード１０４ｂ）を含む。各アクセスノード１０４は、複数のＵＥ１０２にネットワーク１１０へのアクセス権を与えることができる。例えば、アクセスノード１０４ａは、カバレッジエリア（すなわちセル）１０５ａ内のＵＥ（すなわち１０２ａ〜１０２ｄ）にネットワーク１１０へのアクセス権を与えることができ、アクセスノード１０４ｂは、カバレッジエリア（すなわちセル）１０５ｂ内のＵＥ（すなわちＵＥ１０２ｂ〜１０２ｃ）にネットワーク１１０へのアクセス権を与えることができる。すなわち、アクセスノード１０４ａはセル１０５ａにサービスし、アクセスノード１０４ｂはセル１０５ｂにサービスする。
【００１５】
いくつかの実施形態では、アクセスノード１０４ａは、アクセスノード１０４ｂとは異なるタイプのものでよい。例えば、アクセスノード１０４ａは、３ＧＰＰアクセスノード（すなわち、３ＧＰＰアクセス技術、例えばＬＴＥ、高速パケットアクセス（ＨＳＰＡ）、広帯域符号分割多元接続（ＷＣＤＭＡ）、モバイル通信用グローバルシステム（ＧＳＭ）、ＧＳＭ進化型高速データレート（ＥＤＧＥ；ＧＳＭ  Ｅｎｈａｎｃｅｄ  Ｄａｔａ  Ｒａｔｅｓ  ｆｏｒ  ＧＳＭ  Ｅｖｏｌｕｔｉｏｎ）、無線アクセスネットワーク（ＧＥＲＡＮ）を使用するアクセスノード、または場合によっては３ＧＰＰ２  ＣＤＭＡ２０００（登録商標）アクセスノード）でよく、一方、アクセスノード１０４ｂは、非３ＧＰＰアクセスノード（例えば、ＷｉＭＡＸ（ワイマックス；Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＷＬＡＮ（ワイヤレスローカルエリアネットワーク）、または他の非３ＧＰＰアクセスノード）でよい。
【００１６】
これもまた図１に例示されるように、システム１００は、ＡＮＤＳＦ機能を提供するサーバ１０６を含むことができる。すなわち、ＵＥ１０２に１つまたは複数のセル選択規則を提供するようにサーバ１０６を構成することができる。有利には、少なくとも１つのアクセスノード（例えばアクセスノード１０４ａ）が、セル１０５ａを現在利用している１つまたは複数のＵＥ１０２（例えばＵＥ１０２ａまたは１０２ｂ）にセル選好インジケータ（ＣＰＩ）値を送信するように構成され、ＣＰＩ値を受信したＵＥは、セル１０５ａを引き続き「利用」するか、それとも異なるセル（例えばセル１０５ｂ）を利用するか判断するために、アクセスノード１０４ａによって提供されるＣＰＩ値に関連付けて、サーバ１０６によって提供されるセル選択規則を使用するように構成される。ＵＥは、セルにサービスするアクセスノード１０４（またはその構成要素）に接続する、またはそのアクセスノード１０４にキャンプすることによってセルを「利用」する。
【００１７】
いくつかの実施形態では、ＵＥに伝達されるＣＰＩ値は、異なる特性を備える様々な変形形態を取ることがある。例えば、いくつかの実施形態では、ＣＰＩ値は、２値負荷インジケータ値であり、これは、特定のセル（例えばＣＰＩ値を伝達したアクセスノードによってサービスされるセル）が負荷の有る状態（例えば高負荷状態または限界まで負荷された状態）か、それとも負荷の無い状態（例えば全く使用されていない、またはごくわずかしか使用されない）かを示す。他の実施形態では、ＣＰＩは、「ニュアンス」負荷インジケータである。すなわち、例えば、ＣＰＩは、３つ以上のセル負荷レベル（例えば低負荷、中負荷、および高負荷）の１つを示す値である。
【００１８】
有利には、ＵＥが現在利用しているセルの負荷に関する知識をＵＥ１０２に提供することによって、ネットワークオペレータは負荷分散を事前対応で制御することができ、これは、セルの負荷を条件とするセル選択規則をＡＮＤＳＦサーバ１０６がＵＥ１０２に伝達することによって行われる。このようにすると、ＡＮＤＳＦベースのセル選択に関する一般的な原理が保たれ、ＡＮＤＳＦはセル選択規則を提供し、その一方でＵＥは、コンテキストパラメータ（例えばセル負荷やトラフィックタイプなど）を監視し、コンテキストパラメータを入力として使用してセル選択規則を実行する。
【００１９】
いくつかの実施形態では、セル選択規則は、デフォルト設定で、最高の容量およびビットレートを有する使用可能なアクセスノードを利用するようにＵＥ１０２に命令することができる。多くの場合、そのようなアクセスノードはＬＴＥ基地局となる。したがって、ＵＥが過負荷状態のＬＴＥセルから出て非３ＧＰＰセルを利用することができるように、ＬＴＥセルの負荷に関する情報をＵＥ１０２に提供することで、ｅｘｔｒａ−３ＧＰＰ負荷分散が可能になる。いくつかの実施形態では、セル１０５の負荷状態をＵＥに知らせるタスクは、負荷状況に関する最も容易に使用可能な知識を有するノードに課され、このノードは、ほとんどの場合、セル１０５にサービスするアクセスノード１０４である。ＬＴＥ環境では、アクセスノード１０４は、ｅＮＢ（進化型ＮｏｄｅＢ；ｅｖｏｌｖｅｄ  ＮｏｄｅＢ）と呼ばれる。ＷＣＤＭＡ／ＨＳＰＡでは、アクセスノード１０４がＮｏｄｅＢを含むことができるが、ＷＣＤＭＡ／ＨＳＰＡネットワークでのセルの負荷をＵＥに知らせるためのタスクは、複数のＮｏｄｅＢを制御する無線ネットワーク制御装置（ＲＮＣ）ノードに課すこともできる。すなわち、アクセスノード１０４は、ＮｏｄｅＢとＲＮＣを含むことができる。
【００２０】
他の実施形態では、ＣＰＩは、（単なる負荷インジケータとは対照的に）セルがアクセスに適している度合いを示す汎用インジケータとして使用することができる。例えば、いくつかの実施形態では、ＣＰＩは、２つの状態、すなわち（１）「許可」および（２）「不許可」のみを有することがある。アクセスノードは、セルが負荷の有る状態であるときにはＣＰＩ値を「不許可」に設定することができる。すなわち、アクセスノードは、汎用ＣＰＩを２値負荷インジケータとして使用することができる。しかし、さらにまた、アクセスノードは、例えばセルが使用停止されているとき、またはネットワークオペレータがエネルギーを節約することを望むときにもＣＰＩ値を「不許可」に設定することができる。したがって、この実施形態では、ＣＰＩは２値インジケータであるが、単純な２値負荷インジケータよりも汎用である。他の実施形態では、ＣＰＩが３つ以上の状態（例えば低、中、高）を有することができる。これは、スムーズな負荷分散を実現する（例えばセル内のＵＥの数を徐々に減少させる）のに有用である。これは、例えば保守やアップグレードのためにアクセスノードが使用停止されているときに望まれることがある。
【００２１】
他の実施形態では、ＣＰＩ値は、キャンピングまたは接続モードアクセスのためにセルを使用するか否か判断する際にＵＥが使用する確率値（または他の値）でよい。任意の特定の時点でＵＥに送信されるＣＰＩ値は、その時点でのセルの負荷を反映することがあり、または汎用インジケータに関して上述したような他の目的のために使用することができる。この実施形態では、ＣＰＩ値を調節することによって、現在のセルを使用することを選択するＵＥの割合および別のセルを選択する割合を調整することができる。
【００２２】
アクセスノード１０４が１つまたは複数のＵＥ１０２の組にＣＰＩ値を提供することができるようにする様々な方法がある。例えば、アクセスノードは、負荷インジケータをブロードキャストする（すなわち、ブロードキャストをリッスンしている任意のＵＥが受信することができるように負荷インジケータを送信する）ことができる。ＣＰＩ値のブロードキャストは、（活動中のＵＥと休止中のＵＥの両方を含めた）セル内のすべてのＵＥにＣＰＩ値を同時に伝達するのに効率の良い方法である。いくつかのシステム（例えばＬＴＥ）では、ＣＰＩ値をブロードキャストする一つの方法は、アクセスノードによってセル内で繰り返しブロードキャストされるシステム情報と共にＣＰＩ値を含めることである。例えば、ブロードキャストチャネル（ＢＣＨ）を使用して定期的にブロードキャストされる「マスタ情報ブロック（ＭＩＢ）」内にＣＰＩ値を含めることができる。現在、ＬＴＥ  ＭＩＢは１０個の未使用ビットのフィールドを有し、ＣＰＩ値を伝達するためにこれらの未使用ビットの１つまたは複数を使用することができる。別の例としては、ＬＴＥのダウンリンク共有チャネル（ＤＬ−ＳＣＨ）で送信されるシステム情報ブロック（ＳＩＢ）の１つにＣＰＩ値を含めることができる。また、「システム情報メッセージ」の「非重要拡張部（ｎｏｎ−ｃｒｉｔｉｃａｌ  ｅｘｔｅｎｓｉｏｎｓ）」にＣＰＩ値を入れることもできる。この非重要拡張部は、その情報を解釈することができないＵＥによってはスキップされることがあるパラメータを有する、システム情報の後方互換性拡張のためのオープンエンドメカニズムである。しかしまた、通常のシステム情報パラメータとしてＣＰＩ値を含めることもできる。
【００２３】
アクセスノード１０４が１組のＵＥにＣＰＩ値を提供することができるようにする別の方法は、組内の各ＵＥにＣＰＩ値をユニキャストする（すなわち、専用受信機としてＵＥを用いて各ＵＥに個別のメッセージを送信する）ことである。例えば、アクセスノードは、組内に含まれる各ＵＥごとに、そのＵＥのみによって受信されるＣＰＩ値を送信することができる。ＣＰＩ値を伝達するためにブロードキャストではなくユニキャストを使用する利点は、アクセスノードが、選択されたＵＥにＣＰＩ値を宛てることができることである。これにより、アクセスノードは、例えば、現在のセルから出て別のセルに移ることで受ける影響が最小であるとアクセスノードが判断したＵＥ（例えば、主にベストエフォートや低ビットレートトラフィックなど所要容量の小さいトラフィックを送信および／または受信しているＵＥ）にのみ、過負荷状態を示すＣＰＩ値を送信することができるようになる。ユニキャスト配信の場合、アクセスノードからＵＥに送信される無線リソース制御（ＲＲＣ）メッセージ内にＣＰＩ値を含めることができ、または、それよりも低いレイヤのプロトコル（例えばメディアアクセス制御レイヤ）もしくは高いレイヤに含めることもできる。さらに、インターネットプロトコル（ＩＰ）を介した信号伝送（例えばＯＭＡデバイス管理）や、ＩＥＥＥ８０２．２１ベースの信号伝送メカニズムなど、他の信号伝送メカニズムを使用することもできる。ＣＰＩ値は、任意のユニキャストＲＲＣメッセージ内の任意選択のパラメータでよいが、すべてのユニキャストＲＲＣメッセージに含めることもでき、または専用メッセージで送信することもできる。好ましくは、アクセスノードは、「機会主義的に（ｏｐｐｏｒｔｕｎｉｓｔｉｃａｌｌｙ）」ＣＰＩ値をＵＥに送信する。例えば、アクセスノードは、ＣＰＩ値をＵＥに送信すべきと判断したときに、直ちにはＣＰＩ値をＵＥに送信しないことがあり、アクセスノードが他のデータ、例えばＲＲＣ関連データを取得するまでＵＥへの送信を待機することがあり、その後、そのような他のデータと共にＣＰＩ値をＵＥに送信する。
【００２４】
別のセルへの移動の決定は最終的にはセル選択規則によって制御されるので、また、セル内のすべてのＵＥが別のセルに移動できるわけではないので（例えば、ＵＥが適当なインターフェースをもたないので、または対象のアクセスのカバレッジ外になるので）、過負荷表示（例えば、「負荷」または「不許可」に設定されたＣＰＩ値）を受信したすべてのＵＥが他のセルに移動するわけではなく、アクセスノードは、ＵＥのうちどれほどの割合が他のセルに移動するか予測できないことがある。これを補償するために、アクセスノードは、アクセスノードが実際にセルから外に出したいと望むＵＥ数よりも多数のＵＥに過負荷表示を送信することを選択することができる。当然、これは、望まれるよりも多くのＵＥがセルから出る可能性がある。この問題を回避する１つの可能な方法は、アクセスノードが、まず、最適な負荷分散のためにセルから移動させたいＵＥ数にちょうど等しい数のＵＥに過負荷表示を送信し、次いで待機して反応を見ることである。特定の時間後に、交信されたＵＥすべてがセルから出ているわけではない場合、アクセスノードは、過負荷表示をさらに別のＵＥに送信することができ、以下同様に繰り返す。別の選択肢は、セル内のすべてのＵＥに過負荷表示を送信することである。過負荷状態が知らされたことにより、適切な数のＵＥがセルから出たとき、セルはもはや過負荷状態でなくなり、アクセスノードは、負荷分散のために別のＵＥがセルから出るのを止めるように負荷表示を変更することができる。
【００２５】
次に図２を参照すると、図２は、本発明のいくつかの実施形態によるプロセス２００を例示する流れ図である。プロセス２００は、特定のセル（例えばアクセスノード１０４ａによってサービスされるセル１０５ａ）を利用しているＵＥ（例えばＵＥ１０２ａ）によって行われるプロセスである。プロセス２００は、ステップ２０２から始めることができ、ステップ２０２で、ＵＥ１０２ａがセル選択規則を受信する。ＵＥ１０２ａは、サーバ１０６からセル選択規則を受信することができる。ＵＥ１０２ａがサーバ１０６から規則を引き出す（例えば要求する）ことができ、またはサーバ１０６がＵＥ１０２ａに規則を押し出す（例えば要求がなくても送信する）ことができる。ステップ２０４で、ＵＥ１０２ａは、アクセスノード１０４ａからＣＰＩ値を受信し、上述したように、このＣＰＩ値はブロードキャストされることもユニキャストされることもある。次に（ステップ２０６で）、ＵＥ１０２ａは、セル１０５ａを引き続き利用すべきか、それとも別のセル（例えばセル１０５ｂ）を利用すべきか判断するために、アクセスノード１０４ａから最も最近受信したＣＰＩ値を使用してセル選択規則を実行する。
【００２６】
いくつかの実施形態では、セル選択規則は条件を指定する。したがって、いくつかの実施形態では、ＵＥ１０２ａは、その条件が真であるかどうか判断することによってセル選択規則を実行する。ＵＥ１０２ａは、条件が真であると判断した場合には特定のアクションを行うべきであり、これもまたセル選択規則によって指定することができる。
【００２７】
例示的なセル選択規則は以下のようなものである。「条件＝＞ＣＰＩ値＝「負荷」；アクション＝＞ＷｉＭＡＸ、ＷＬＡＮ」。ＵＥ１０２ａは、このセル選択規則を実行するとき、条件が真であるかどうか判断する（すなわち、ステップ２０４で受信したＣＰＩが値「負荷」であるかどうか判断する）。条件が真である場合、ＵＥ１０２ａは指定されたアクションを行う。この例では、アクションは、現在のセルを利用するのを止めて、使用可能な場合にはＷｉＭＡＸセルを利用し、ＷｉＭＡＸセルが使用可能でなければ、使用可能な場合にはＷＬＡＮセルを利用することである。ＷｉＭＡＸセルもＷＬＡＮセルも使用可能でない場合、ＵＥ１０２ａは現在のセルを引き続き利用する。したがって、例示されるように、セル選択規則のアクションは、１組のセルタイプ（例えば順序付きリスト）を指定することができる。
【００２８】
例として、他の可能なセル選択規則を以下の表１に示す。
【００２９】
【表１】
2014039294.tif 000003
【００３０】
表１での最初のセル選択規則は、条件が論理（例えば２値論理）を含むことができることを示す。この規則によれば、ＵＥ１０２ａは、（ａ）ＣＰＩ値が「負荷」に設定されており、（ｂ）ＵＥ１０２ａが現在利用しているアクセスノードがＬＴＥアクセスノード（例えばｅＮＢ）であり、（ｃ）ＵＥ１０２ａが、主に低ビットレートまたはベストエフォートトラフィックを送信および／または受信しており、かつ（ｄ）ＵＥ１０２ａが、利用することができるＷｉＭＡＸまたはＷＬＡＮセルを使用可能な状態である場合に、現在のセルを利用するのを止める。表１の２番目のセル選択規則は、確率ベースのセル選択規則を示す。ＵＥ１０２ａは、このセル選択規則を実行するとき、乱数（例えば擬似乱数）を発生し、発生した乱数をＣＰＩ値の関数ｆ（）である値と比較する。この例では、発生した乱数がｆ（ＣＰＩ値）未満である場合に、ＵＥ１０２ａは指定されたアクションを行う。いくつかの実施形態では、ｆ（ＣＰＩ値）＝ＣＰＩ値×Ｃ（ここでＣは任意の値）である。他の実施形態では、ｆ（ＣＰＩ値）＝ＣＰＩ値のＣ乗である。ＣＰＩ値が２値負荷インジケータである実施形態では、ｆ（ＣＰＩ値）は、ＣＰＩ値＝「負荷」の場合にはＸであり、そうでない場合にはＹであることがある。３番目のセル選択規則も確率ベースの規則である。確率ベースのセル選択規則は、ＵＥまたはＵＥのグループの挙動の単純な制御を可能にすると同時に、複雑なセル選択規則をなくす。４番目のセル選択規則は、セル選択規則が、１組の条件およびそれに対応する１組のアクションを含むことができることを示す。
【００３１】
再び図２を参照すると、ＵＥ１０２ａは、セル選択規則およびＣＰＩ値に基づいて、セル１０５ａを引き続き利用すべきであると判断した場合、ある設定可能な時間量の後に切れるようにタイマを設定するか、またはアクセスノード１０４ａからの負荷分散コマンドを待つことがある（ステップ２０８）。タイマが切れたのに応答して（または負荷分散コマンドの受信に応答して）、ＵＥ１０２ａは再びステップ２０６を行う。タイマを設定するこの機能は、後のある時点でＵＥ１０２ａにセル選択規則を強制的に再実行させる。これは、セル選択規則が確率ベースの規則である実施形態で有利である。なぜなら、セル選択規則のそのような再実行がないと、負荷分散が非常に柔軟性のないものになることがあるからである。例えば、セル過負荷状況において、不十分な数のＵＥしかセルから出ていない場合、ＵＥの確率ベースのセル選択決定が再考されないと、この望ましくない状況が持続することがある。したがって、ＵＥは、セル内に留まるという確率ベースの決定後にタイマを開始すべきであり、タイマが切れたとき、セル選択規則の再度の評価をトリガすべきである。これにより、ＵＥが新たなセルに移動することもあれば、移動しないこともある。タイマは一律である（すなわちすべてのＵＥに関して同じ）こともあるが、特定の時間間隔内でのランダムなタイマが、よりスムーズな負荷分散操作をもたらすことがある。
【００３２】
ＵＥ１０２ａは、セル選択規則およびＣＰＩ値に基づいて、セル１０５ａの利用を止めるべきと判断した場合、新たなセル（例えばセル１０５ｂ）を利用し始め、ある設定可能な時間量の後に切れるようにタイマを設定することがある（ステップ２１０）。タイマが切れると、ＵＥ１０２ａは、その新たなセルを利用し続けるかどうか判断するために、デフォルトＣＰＩ値を入力変数として使用してセル選択規則（例えばステップ２０２で受信された規則または別の規則）を実行する（ステップ２１２）。ＵＥ１０２ａが、セル選択規則およびデフォルトＣＰＩ値に基づいて、新たなセルを利用し続けるべきと判断した場合、プロセス２００はステップ２１０に戻り、そうでない場合にはプロセス２００はステップ２１３に進み、ステップ２１３で、ＵＥ１０２ａは、セル１０５ｂの利用を止めて、セル１０５ａの利用を再開する。ステップ２１３の後、プロセス２００はステップ２０８に進む。セル１０５ａから出てセル１０５ｂに移動するというＵＥ１０２ａの決定は永久に続くべきではないので、ステップ２１０でタイマが設定される。タイマは、ＵＥ１０２ａにセル選択規則を強制的に再評価させるために使用される。なぜなら、セル１０５ａの状態に関する情報をＵＥ１０２ａに提供するための手段をアクセスノード１０４ｂが有さないことがあるので、ＵＥ１０２ａは、セル１０５ｂを利用しているときにはセル１０５ａの状態の知識を有さないことがあるからである。好ましくは、多数のＵＥがまとまってセル１０５ａに戻るのを回避するために、タイマは、ある時間間隔内でランダムな値に設定することができる。
【００３３】
次に図３を参照すると、図３は、いくつかの実施形態によるプロセス３００を例示する流れ図である。プロセス３００は、３ＧＰＰアクセスノード（例えばアクセスノード１０４ａ）によって行うことができる。プロセス３００は、ステップ３０２から始めることができ、ステップ３０２で、アクセスノード１０４ａがそのセルの１つの負荷を求める。次に（ステップ３０４で）、アクセスノード１０４ａは、ＣＰＩ値を特定の値（例えば、求められたセルの負荷に基づく値）に設定する。例えば、ＣＰＩがニュアンス負荷インジケータであり、セルのノードが正常であるとアクセスノード１０４が判断した場合、アクセスノード１０４ａは、ＣＰＩ値を「正常」に設定する。次に（ステップ３０６で）、アクセスノード１０４ａは、ＣＰＩ値を含むメッセージを生成する。上述したように、アクセスノード１０４ａは、ＭＩＢまたはＳＩＢを生成して、ＭＩＢまたはＳＩＢにＣＰＩ値を含めることができる。次に（ステップ３０８で）、アクセスノード１０４ａは、ＣＰＩ値を含むメッセージをブロードキャストする。ＬＴＥシステムでは、アクセスノード１０４ａは、ブロードキャストチャネル（ＢＣＨ）を使用してメッセージをブロードキャストすることがあり、またはダウンリンク共有チャネル（ＤＬ−ＳＣＨ）を使用してメッセージをブロードキャストすることもある。
【００３４】
次に図４を参照すると、図４は、いくつかの実施形態によるプロセス４００を示す流れ図である。プロセス４００は、３ＧＰＰアクセスノード（例えばアクセスノード１０４ａ）によって行うことができる。プロセス４００は、ステップ４０２から始めることができ、ステップ４０２で、アクセスノード１０４ａがそのセルの１つの負荷を求める。次に（ステップ４０４で）、アクセスノード１０４ａは、ＣＰＩ値を特定の値（例えば、求められたセルの負荷に基づく値）に設定する。次に（ステップ４０６で）、アクセスノード１０４ａは、ＵＥの目標数（Ｔ）を決定し、カウンタ（ｉ）をゼロ（０）に設定する。目標数は、アクセスノード１０４ａが別のセルに移動させたいと考えるＵＥの数に設定することができる（またはそれよりも大きい数もしくは小さい数に設定することができる）。ステップ４０８で、アクセスノード１０４ａは、ＵＥ向けのデータを取得する（例えば受信または生成する）。次に（ステップ４１０で）、アクセスノード１０４ａは、ＵＥが、別のセルに移動される候補となるＵＥであるかどうか判断する。例えば、いくつかの実施形態では、ＵＥは、主に所要容量の小さいトラフィック（例えば低ビットレートのトラフィックやベストエフォートトラフィック）を送信および／または受信している場合かつその場合に限り、候補ＵＥである。ＵＥが候補でない場合、アクセスノード１０４ａは、ステップ４０８で得られたデータをＵＥに送信する（ステップ４１２）。ステップ４１２後、プロセス４００はステップ４０８に戻ることがある。ＵＥが候補である場合、アクセスノード１０４ａは、カウンタｉが目標数Ｔと等しいかどうか判断する。ｉ≠Ｔである場合、アクセスノードは、ｉを増分し（ステップ４１４）、ステップ４０８で得られたデータおよびステップ４０４で設定されたＣＰＩ値を含むメッセージをＵＥに送信する（ステップ４１６）。有利には、ＣＰＩ値を含むメッセージを受信した各ＵＥは、受信したＣＰＩ値を使用してセル選択規則を実行する。ステップ４１６後、プロセス４００はステップ４０８に戻ることがある。ｉ＝Ｔである場合、アクセスノード１０４ａは、ステップ４０８で受信されたデータをＵＥに送信する（ステップ４１８）。ステップ４１８後、プロセス４００はステップ４０２に戻ることがある。このプロセスを実施することによって、アクセスノード１０４は、セルの負荷を間接的に制御することができる。なぜなら、ＣＰＩ値を受信した各候補ＵＥが、ＣＰＩ値の受信に応答してセル選択規則を実行し、これは、適切に設計されている場合、セルが過負荷状態であることをＣＰＩ値が示す場合にはＵＥを別のセルに移動させるからである。ＵＥが別のセルに移動される候補であるかどうか判断するステップ４１０をステップ４０８の前に行うこともできることに留意されたい。そのような場合、アクセスノードは、まずＵＥが候補ＵＥであると判断し、次いで、機会主義的にデータを待ってからＵＥへの送信を行い、ｉ≠Ｔという条件でステップ４１４および４１６を行うことができる。
【００３５】
次に図５を参照すると、図５は、本発明のいくつかの実施形態によるアクセスノード１０４ａの機能ブロック図である。図示されるように、アクセスノード１０４ａは、データ処理システム５０２（例えば、データを処理するための１つまたは複数のマイクロプロセッサ、１つまたは複数の集積回路、および／または１つまたは複数の回路）と、データ記憶システム５０６（例えば、１つまたは複数の不揮発性および／または揮発性記憶デバイス）と、記憶システム５０６に記憶されたコンピュータソフトウェア５０８とを備えることがある。また、構成パラメータ５１０が記憶システム５０６に記憶されることもある。また、アクセスノード１０４ａは、ＵＥ１０２との間でデータを送受信するための送信／受信（Ｔｘ／Ｒｘ）回路５０５と、例えばネットワーク１１０との間でデータを送受信するための送信／受信（Ｔｘ／Ｒｘ）回路５０４とを含む。ソフトウェア５０８は、データ処理システム５０２がソフトウェア５０８を実行するときにアクセスノード１０４ａが上述したステップ（例えば図３および図４に示される流れ図を参照して上述したステップ）を行うように構成される。例えば、ソフトウェア５０８は、（１）セルの負荷を求めるためのコンピュータ命令、（２）求められたセル負荷に基づいてＣＰＩ値を設定するためのコンピュータ命令、（３）メッセージ内にＣＰＩ値を含めるためのコンピュータ命令、および（４）メッセージを送信（例えばブロードキャストまたはユニキャスト）するためのコンピュータ命令を含むことがある。
【００３６】
次に図６を参照すると、図６は、本発明のいくつかの実施形態によるＵＥ１０２の機能ブロック図である。図示されるように、ＵＥ１０２は、データ処理システム６０２（例えば、データを処理するための１つまたは複数のマイクロプロセッサ、１つまたは複数の集積回路、および／または１つまたは複数の回路）と、データ記憶システム６０６（例えば、１つまたは複数の不揮発性および／または揮発性記憶デバイス）と、記憶システム６０６に記憶されたコンピュータソフトウェア６０８とを備えることがある。構成パラメータ６１０（例えば上述したタイマ時間間隔）が記憶システム６０６に記憶されることもある。また、ＵＥ１０２は、アクセスノードとの間でデータを送受信するための送信／受信（Ｔｘ／Ｒｘ）回路６０４も含む。ソフトウェア６０８は、プロセッサ６０２がソフトウェア６０８を実行するときにＵＥ１０２が上述したステップ（例えば図２に示される流れ図を参照して上述したステップ）を行うように構成される。例えば、ソフトウェア６０８は、アクセスノードから受信されたＣＰＩ値を使用してセル選択規則を実行するためのコンピュータ命令を含むことがある。
【００３７】
本発明の様々な実施形態を上述してきたが、それらは限定ではなく単に例として提示したにすぎないことを理解すべきである。したがって、本発明の範疇および範囲は、上述した例示的実施形態のどれによっても限定すべきでない。
【００３８】
さらに、上述して図面に示したプロセスは一連のステップとして示したが、これは例示のためにそうしたにすぎない。したがって、いくつかのステップを追加してもよく、いくつかのステップを省いてもよく、ステップの順序を並べ替えてもよく、またいくつかのステップを並列して行ってもよいと考えられる。
【図１】
2014039294.tif 000004
【図２】
2014039294.tif 000005
【図３】
2014039294.tif 000006
【図４】
2014039294.tif 000007
【図５】
2014039294.tif 000008
【図６】
2014039294.tif 000009
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）における負荷分散方法であって、
前記ＵＥで、セル選択規則を含むメッセージを受信するステップであって、前記セル選択規則が、前記セル選択規則が適用される１つ以上の条件を示す選択条件と、セルの順序を示す選択指示とを含む、ステップと、
前記ＵＥで、アクセスノードから送信されたセル選好インジケータ（ＣＰＩ）値を受信するステップであって、前記ＣＰＩ値が第１のセルに関連付けられた負荷を示す、ステップと、
前記受信されたＣＰＩ値に基づいて、前記選択条件が満たされているか否かを判断するステップと、
前記選択条件が満たされているという判断に応答して、前記選択指示によって指示された順序に基づいて、前記第１のセルと第２のセルのうち１つを選択するステップと、
前記選択されたセルと接続するステップと、を含む、
方法。
【請求項２】
前記ＣＰＩ値が、前記第１のセルが負荷の有る状態とみなされるか、それとも負荷の無い状態とみなされるかを示す２値負荷インジケータ値である、
請求項１に記載の方法。
【請求項３】
前記ＣＰＩ値が、３つ以上のセル負荷レベルの１つを示す負荷インジケータ値である、
請求項１に記載の方法。
【請求項４】
前記受信されたＣＰＩ値に基づいて、前記選択条件が満たされているか否かを判断するステップが、乱数または擬似乱数を発生し、発生した数を前記ＣＰＩ値の関数である値と比較するステップを含む、
請求項１に記載の方法。
【請求項５】
前記アクセスノードが３ＧＰＰアクセスノードであり、
前記第２のセルが、３ＧＰＰアクセスノードでない第２のアクセスノードによってサービスされる、
請求項１に記載の方法。
【請求項６】
前記ＣＰＩ値を受信する前記ステップが、ブロードキャストチャネル（ＢＣＨ）またはダウンリンク共有チャネル（ＤＬ−ＳＣＨ）で前記アクセスノードからブロードキャストされるか、または前記アクセスノードからユニキャストされるメッセージを受信するステップを含み、前記メッセージが前記ＣＰＩ値を含む、
請求項１に記載の方法。
【請求項７】
さらに、
タイマを設定するステップと、
前記タイマが切れたのに応答して、デフォルトＣＰＩ値に基づいて、前記第２のセルを利用するかどうか判断するステップと、を含む、
請求項１に記載の方法。
【請求項８】
さらに、
前記第１のセルが選択された場合に、タイマを設定するステップと、
前記タイマが切れたのに応答して、前記受信されたＣＰＩ値または新規のＣＰＩ値に基づいて、前記第１のセルを利用し続けるかどうか判断するステップと、を含む、
請求項１に記載の方法。
【請求項９】
送受信回路と、データ処理システムとを備え、
前記送受信回路が、
セル選択規則を含むメッセージを受信し、前記セル選択規則が、前記セル選択規則が適用される１つ以上の条件を示す選択条件と、セルの順序を示す選択指示と含み、
アクセスノードから送信されるセル選好インジケータ（ＣＰＩ）値を受信するように操作可能であり、前記ＣＰＩ値が第１のセルに関連付けられた負荷を示し、
前記データ処理システムが、
前記受信されたＣＰＩ値に基づいて、前記選択条件が満たされているか否か判断し、
前記選択条件が満たされているという判断に応答して、前記選択指示によって指示される順序に基づいて、前記第１のセルと第２のセルのうち１つを選択し、
前記選択されたセルと接続するように構成された、
通信装置。
【請求項１０】
前記ＣＰＩ値が、前記第１のセルが負荷の有る状態とみなされるか、それとも負荷の無い状態とみなされるかを示す２値負荷インジケータ値である、
請求項９に記載の通信装置。
【請求項１１】
前記ＣＰＩ値が、３つ以上のセル負荷レベルの１つを示す負荷インジケータ値である、
請求項９に記載の通信装置。
【請求項１２】
前記データ処理システムが、乱数または擬似乱数を発生し、前記発生した数を前記ＣＰＩ値の関数である値と比較することによって、前記選択条件が満たされているか否か判断するように構成された、
請求項９に記載の通信装置。
【請求項１３】
前記アクセスノードが３ＧＰＰアクセスノードであり、
前記第２のセルが、３ＧＰＰアクセスノードでない第２のアクセスノードによってサービスされる、
請求項９に記載の通信装置。
【請求項１４】
前記送受信回路が、ブロードキャストチャネル（ＢＣＨ）またはダウンリンク共有チャネル（ＤＬ−ＳＣＨ）で前記アクセスノードからブロードキャストされるか、または前記アクセスノードからユニキャストされるメッセージを受信することによって、前記ＣＰＩ値を受信するように構成され、前記メッセージが前記ＣＰＩ値を含む、
請求項９に記載の通信装置。
【請求項１５】
前記データ処理システムが、さらに、タイマを設定し、前記タイマが切れたのに応答して、デフォルトＣＰＩ値に基づいて、前記第２のセルを利用するかどうか判断するように構成された、
請求項９に記載の通信装置。
【請求項１６】
前記データ処理システムが、さらに、
前記第１のセルが選択された場合に、タイマを設定し、
前記タイマが切れたのに応答して、前記受信されたＣＰＩ値、または新規のＣＰＩ値に基づいて、前記第１のセルを利用し続けるかどうか判断するように構成された、
請求項９に記載の通信装置。
【外国語明細書】
2014039294000001.pdf
2014039294000002.pdf
2014039294000003.pdf
2014039294000004.pdf